(57)【要約】【課題】効果的に販売商品や広告等を展示し、消費者の関心をその自動販売機に向けさせ、販売促進効果を高めることができる自動販売機を提供する。【解決手段】前面に配置された光透過性の電照板７と、電照板７を背面側から広く照らす照明手段３１と、電照板７に表示される広告部８ａと、シェード１３ｂで覆われ遮光された空間を介して電照板７を背面側からそれぞれ局所的に照射する複数の光源装置１１と、光源装置１１の発光状態を制御する制御手段３７とを備えた自動販売機であって、制御手段３７は機体の動作状態に応じて複数の光源装置１１を多様に制御する自動販売機。【選択図】    図１
2009258933.tif 000002
【特許請求の範囲】
【請求項１】
前面に配置された光透過性の電照板と、前記電照板を背面側から広く照らす照明手段と、前記電照板に表示される広告部と、シェードで覆われ遮光された空間を介して前記電照板を背面側からそれぞれ局所的に照射する複数の光源装置と、前記光源装置の発光状態を制御する制御手段とを備えた自動販売機であって、前記制御手段は機体の動作状態に応じて複数の前記光源装置を多様に制御することを特徴とする自動販売機。
【請求項２】
前記シェードは、前記光源装置の発光部を覆い、その光を漏らさないように前記電照板の背面に向けて照射させることを特徴とする請求項１に記載の自動販売機。
【請求項３】
前記電照板は、前記光源装置により照射される光を拡散させる構造を備えたことを特徴とする請求項１または請求項２に記載の自動販売機。
【請求項４】
前記光源装置は装着部に着脱自在に装着され、その装着位置を変更可能であることを特徴とする請求項１乃至請求項３の何れかに記載の自動販売機。
【請求項５】
前記広告部は、販売商品の見本を表示し、前記光源装置は前記販売商品の見本を表示する広告部に関連付けて前記装着部に装着されたことを特徴とする請求項１乃至請求項４の何れかに記載の自動販売機。
【発明の詳細な説明】
【技術分野】
【０００１】
本発明は、販売商品の見本や、その広告等を展示する展示手段を有する自動販売機に関し、特に前面に電照板と、その電照板を電飾する複数の光源とを備え、消費者等に対して目立つように販売商品や広告等を展示する自動販売機に関する。
【背景技術】
【０００２】
従来のこの種の自動販売機としては、先に出願公開された特開２００５−３０１８１８号公報（特許文献１）に記載されるようなものが知られている。この自動販売機は、前扉の前面に商品見本展示部を備えたものであって、その商品見本展示部の背面板を半透光性の部材により構成し、この背面板の裏面側にこれを透過照明する多色発光可能な光源体を複数設けると共に、それらの光源体を販売機本体の動作状態に応じて発光制御し、その表示色や表示パターンを変化させる制御装置を設けたものである。
このような自動販売機によれば、半透光性の背面板がその裏面側に設けられた光源体により透過照明され、販売機本体の動作状態に応じてその発光色および発光タイミングが制御されるから、背面板の表示色や表示パターンが種々の態様で変化する。そして、このような背面板の変化は、消費者の関心を自動販売機に向けさせ、その販売商品をアピールし、販売促進効果を高めることができるものである。
【特許文献１】特開２００５−３０１８１８号公報
【発明の開示】
【発明が解決しようとする課題】
【０００３】
ところで、この従来の自動販売機は、商品見本展示部の背面板をその裏面側に設けた多色発光可能な光源体により透過照明することで、その背面板の色を多様に変化させるが、その背面板の前面に展示される販売商品見本もまたその光源体により背面側から照明されるので、背面板の発光態様の変化は目立つが、販売商品見本自体は目立ち難くなる問題があった。また、多色発光可能な複数の光源体は、背面板を同時に複数の発光色で照明するので、それらの光が干渉して部分的に背面板の色が暈けるなどの問題があった。
本発明は、このような問題に対応するため、展示部に展示される商品見本や広告等を明るく目立つように展示するとともに、展示部の照明態様を多様に変化させる場合にも、各発光体の発光色が暈けることなく明確に表示されるようにして、より効果的に販売商品や広告等を展示し、消費者の関心をその自動販売機に向けさせ、その販売商品をアピールし、販売促進効果を高めることができる自動販売機を提供することを目的とするものである。
【課題を解決するための手段】
【０００４】
上記課題を解決するため、請求項１に係る発明は、
前面に配置された光透過性の電照板と、前記電照板を背面側から広く照らす照明手段と、前記電照板に表示される広告部と、シェードで覆われ遮光された空間を介して前記電照板を背面側からそれぞれ局所的に照射する複数の光源装置と、前記光源装置の発光状態を制御する制御手段とを備えた自動販売機であって、前記制御手段は機体の動作状態に応じて複数の前記光源装置を多様に制御するものである。
これによれば、前記光源装置により前記電照板の背面を照射するとき、前記光源装置から発光される光はシェードで覆われ遮光された空間を通って前記電照板を背面から照らすから前記照明手段の影響を受けず、本来の発光色ではっきりと前記電照板の背面を照射することができる。また、前記電照板を背面から照らす照明手段は、前記電照板に表示される広告手段を明るく目立つように照明することができる。
また、請求項２に係る発明は、請求項１に記載の発明において、前記シェードは、前記光源装置の発光部を覆い、その光を漏らさないように前記電照板の背面に向けて照射させるものである。
これによれば、前記光源装置から発光される光を無駄なく前記電照板の背面に向けて照射させることができる。
【０００５】
また、請求項３に係る発明は、請求項１または請求項２に記載の発明において、前記電照板は、前記光源装置により照射される光を拡散させる構造を備えたものである。
これによれば、前記光源装置により前記電照板の背面に局所的に照射された光を広く拡散させることができる。
また、請求項４に係る発明は、請求項１乃至請求項３に記載の発明において、前記光源装置は装着部に着脱自在に装着され、その装着位置を変更可能であるものである。
これによれば、自動販売機の設置場所や動作状態に応じて、前記光源装置の装着位置を変更し、前記電照板を多様に照射することができる。
また、請求項５に係る発明は、請求項１乃至請求項４に記載の発明において、前記広告部は、販売商品の見本を表示し、前記光源装置は前記販売商品の見本を表示する広告部に関連付けて前記装着部に装着されたものである。
これによれば、前記光源装置の前記電照板への背面からの照射により、それに関連付けられて前記電照板に表示される前記販売商品の見本を目立たせることができる。
【発明の効果】
【０００６】
以上説明したように請求項１に係る発明によれば、光源装置により電照板の背面を照射するとき、光源装置から発光される光はシェードで覆われ遮光された空間を通って電照板を背面から照らすから照明手段の影響を受けず、本来の発光色ではっきりと電照板の背面を照射することができる。また、電照板を背面から照らす照明手段は、電照板に表示される広告手段を明るく目立つように照明することができる。したがって、このような光源装置の鮮明な電飾効果により消費者の関心をこの自動販売機に向けさせ、また照明手段により販売商品や広告等を効果的に展示し、より販売促進効果を高めることができる自動販売機を提供することができる。
また、請求項２に係る発明によれば、光源装置から発光される光を無駄なく電照板の背面に向けて照射させることができるから、電照板を明るく照らして光源装置による電飾効果を向上させ、消費者の関心を引いて販売促進効果を高めることができる自動販売機を提供することができる。
また、請求項３に係る発明によれば、光源装置により電照板の背面に局所的に照射された光を広く拡散させることができるから、光源装置による電飾作用を目だ立たせて消費者の関心を引き、販売促進効果を高めることができる自動販売機機を提供することができる。
【０００７】
また、請求項４に係わる発明によれば、自動販売機の設置場所や動作状態に応じて、光源装置の装着位置を変更し、電照板を多様に照射することができるから、状況に応じて適宜に販売促進効果を高めることができる自動販売機機を提供することができる。
また、請求項５に係わる発明によれば、光源装置の電照板への背面からの照射により、それに関連付けられて電照板に表示される販売商品の見本を目立たせることができるから、おすすめ商品や、キャンペーン商品等の特別な商品の販売促進効果を高めることができる自動販売機を提供することができる。
【発明を実施するための最良の形態】
【０００８】
本発明の実施の形態について図を参照して説明する。図１は本発明の実施の形態に係わる自動販売機を示す正面図、図２は本発明の実施の形態に係わる自動販売機において前扉を開いた状態を示す斜視図である。
図に示すように、本発明に係る自動販売機１は、商品を収納保存し必要に応じてこれを搬出する本体ケース２と、この本体ケース２に対して開閉自在に設けられた前扉３とを備えている。また、本体ケース２前面の開口部２ａには、その庫内の気密を保つために、充填扉４が開閉自在に設けられている。また、前扉３の裏面には、その背面側を開閉する中扉５が設けられている。
前扉３の前面には、商品見本（広告部）８ａや広告８ｂ等を表示する幅広の電照板７が設けられている。この電照板7は、光透過性のアクリル部材等から構成され、その背面側に設けられる後述の蛍光灯（照明手段）３１により明るく照明される。また、電照板7の前面には、各商品見本８ａに対応してこれを選択して購入するための商品選択ボタン２１が設けられ、さらに販売商品の代金を支払うための紙幣挿入口２３と、硬貨投入口２４と、投入金額や販売状態を表示する表示器２５と、投入貨幣や釣銭硬貨を返却するための返却レバー２６と、前扉３を本体ケース２に施錠するためのハンドルロック２７等がその端部領域に纏まて設けられている。また、前扉３前面の電照板7の下方には、本体ケース２庫内から図示しない搬出シュートを介して搬出される商品を取り出すための商品取出口３０、釣銭硬貨等を返却する硬貨返却口２８が設けられている。なお、電照板７の背面側には、商品見本８ａ等に対応して設けられ、電照板７の背面を局所的に照射するＬＥＤランプ装置（光源装置）１１が設けられている。
【０００９】
前扉３の背面側には、紙幣挿入口２３や硬貨投入口２４に対応して、挿入された紙幣を識別し収納する紙幣識別装置３３、同様の硬貨を識別し収納する硬貨識別装置３４、投入された硬貨を回収貯留する硬貨金庫２９等が設けられている。また、これらの貨幣処理装置の背面側には、悪戯や盗難を防止するための防盗カバー９が設けられている。
また、前扉３の裏面には、電照板７の商品見本展示領域と対向して、前述の中扉５が開閉自在に設けられ、その中扉５の前面には電照板７を背面側から広く照らすように複数の蛍光灯３１が配置されている。さらに、電照板７の背面側には商品見本８ａ等を表示する略矩形状の商品パネル１５が、その背面に貼り付けられるように設けられている。ここで、このこの商品パネル１５は光透過性の部材から成り、また電照板7の商品パネル装着部分には、透明窓部７ａが形成されているので、商品パネル７に表示される商品見本８ａは、背面側の蛍光灯３１に照射されるとき、前扉３の前面から電照板７を介して鮮明に視認される。
また、前扉３の裏面には、商品見本８ａ等に対応して設けられる商品選択ボタン２１、および電照板７の背面を局所的に照射するＬＥＤランプ装置１１を装着し、さらには商品パネル１５を電照板７の背面に保持するための横桟部１７が電照板７の背面に沿って設けられている。また、前扉３の裏面下部には、商品取出口３０の側方に、この自動販売機１の制御を集中管理するマスタボックス３６が設けられている。このマスタボックス３６内には、この自動販売機１の動作状態を制御する主制御部が備えられている。また、中扉５の裏面には、自動販売機１の動作状態に応じて複数のＬＥＤランプ装置１１の発光状態を多様に制御するランプ制御ボックス（制御手段）３７が備えられている。
【００１０】
本体ケース２に設けられる充填扉４の下方には庫内に収納された販売商品を図示しない搬出シュートを介して商品取出口３０に搬出する搬出扉６が設けられている。また、その下方の本体ケース２の下部には、冷凍装置を構成する凝縮器３９や、漏電遮断機３８等が配設されている。
図３は、電照板７の背面を局所的に照射するＬＥＤランプ装置１１を示す斜視図、図４は電照板７の背面側に設けられるＬＥＤランプ装置１１等の配置構成を示す側断面図である。図に示すように、このＬＥＤランプ装置１１は、多色発光可能なＬＥＤ発光部（発光部）１２と、それを保持する本体１３と、本体１３両側に配設される装着爪１３ａと、ＬＥＤ発光部１２を覆って本体１３前方に突出する筒状のシェード部（シェード）１３ｂと、本体１３背面側に突出するコネクタ部１４を備えている。ここで、本体１３およびシェード部１３ｂは遮光部材からなり、ＬＥＤ発光部１２から発光される光は、本体およびシェード部１３ｂに覆われて遮光された空間を介し、その前端の開口から電照板７の背面を照射する。すなわち、ＬＥＤ発光部１２から発光される光は、電照板７を背面側から広く照らす複数の蛍光灯３１の影響を受けずに、本来の発光色で鮮明に電照板７の背面を局所的に照射することができる。また、ＬＥＤ発光部１２から発行される光は、シェード部１３ｂの外側に漏れないから、電照板７に表示される商品見本８ａ等は、ＬＥＤランプ装置１１の影響を受けずに色むら等がなく、蛍光灯３１により一様に明るく目立つように照らされる。
【００１１】
また、円筒状に形成されるシェード部１３ｂの内面は、ＬＥＤ発光部１２を焦点に位置させて、その光を反射して前方の開口に向かうように略放物曲面状に形成されている。したがって、ＬＥＤ発光部１２から発光される光を無駄なく電照板７の背面に向けて照射させることができる。ここで、電照板７において、ＬＥＤ発光部１２の光が照射される部分は、ダイヤカットやスモーク加工等の光の拡散構造を備えることが望ましい。これにより、ＬＥＤ発光部１２により電照板７の背面に局所的に照射された光を広く拡散させ、より目立つようにすることができる。
図５は、ＬＥＤランプ装置１１を横桟部１７に取り付ける様子を示す取付斜視図である。図に示すように、ＬＥＤランプ装置１１を取り付ける横桟部１７には、ＬＥＤランプ装置１１の円筒状のシェード部１３ｂを挿通する装着穴１７ａと、その両側に配置され、装着爪１３ａを係止するための爪係止穴１７ｂとが設けられている。そして、ＬＥＤランプ装置１１は、そのシェード部１３ｂを横桟部１７の装着穴１７ａに背面側から挿入し、その装着爪１３ａを爪係止穴１７ｂに係止することにより、横残部１７に背面側から着脱自在に取り付けられるように構成されている。ここで、ＬＥＤランプ装置１１を装着する横桟部１７や、横桟部１７に設けられるＬＥＤランプ取付用の装着穴１７ａ及び爪係止穴１７ｂの位置は、ＬＥＤランプ装置１１の取り付け位置を変更可能なように多様に構成されることが望ましい。すなわち、このようにＬＥＤランプ装置１１の取り付け位置を変更可能に構成することで、本発明を実施する自動販売機１の設置場所や動作状態に応じて、ＬＥＤランプ装置１１の取付位置を変更し、電照板７を多様に照射することができる。
【００１２】
図６は、電照板７の背面に商品見本８ａ等を表示する商品パネル１５を取り付けた状態を示す側断面図である。商品パネル１５は、光透過性の部材から成り、図のように商品見本８ａ等が表示される略矩形状の表示面１５ａの両端を後方に折り曲げて断面コ字状に形成されている。そして後方に延設された折曲片１５ｂの後端部を、横桟部１７に係止することにより、表示面１５ａが電照板７の背面に押し当てられて、所定の位置に取り付けられるように構成されている。なお、電照板７の背面を局所的に照射するＬＥＤランプ装置１１は、この商品パネル１５に表示される商品見本８ａにそれぞれ関連付けられる(図１参照)ように、そのそれぞれに対応してその下方に配置されている。
以上のように、本発明の実施形態の自動販売機１においては、ＬＥＤランプ装置１１により電照板７の背面を照射するとき、そのＬＥＤ発光部１２から発光される光はそのシェード部１３ｂで覆われ遮光された空間を通って電照板７を背面から照らすから、電照板７を背面から広く照らす複数の蛍光灯３１の影響を受けず、本来の発光色ではっきりと電照板７の背面を照射することができる。また、電照板７を背面から広く照らす蛍光灯３１は、電照板７に表示される商品見本８ａ等を、ＬＥＤランプ装置の影響を受けずに、明るく目立つように照明することができる。したがって、このようなＬＥＤランプ装置１１の鮮明な電飾効果により消費者の関心をこの自動販売機に向けさせ、また蛍光灯３１により販売商品８ａ等を効果的に展示し、より販売促進効果を高めることができる自動販売機を提供することができる。
【００１３】
また、ＬＥＤランプ装置１１のシェード部１３ｂは、そのＬＥＤ発光部１２を覆いその光を漏らさないようにして無駄なく電照板７の背面に向けて照射させることができるから、電照板７を明るく照らしてＬＥＤランプ装置１１による電飾効果を向上させ、消費者の関心を引いて販売促進効果を高めることができる自動販売機を提供することができる。
また、電照板７が、ダイヤカットやスモーク加工等の光の拡散構造を備えれば、ＬＥＤランプ装置１１により電照板７の背面に局所的に照射される光を拡散させることができるから、ＬＥＤランプ装置１１による電飾作用を目だ立たせて消費者の関心を引き、販売促進効果を高めることができる自動販売機機を提供することができる。
また、ＬＥＤランプ装置１１を横桟部１７に着脱自在に構成し、さらにその取付位置を変更可能に構成すれば、自動販売機１の設置場所や動作状態に応じて、ＬＥＤランプ装置１１の取付位置を変更し、電照板７を多様に照射することができるから、状況に応じて適宜に販売促進効果を高めることができる自動販売機機を提供することができる。
また、ＬＥＤランプ装置１１は、商品パネル１５により表示される商品見本８ａに関連付けられるように横桟部１７に取り付けられるから、そのＬＥＤ発光部１２による電照板７への背面からの照射により、それに関連付けられて電照板７に表示される商品見本８ａを目立たせることができる。したがって、これにより、おすすめ商品や、キャンペーン商品等の特別な商品の販売促進効果を高めることができる自動販売機を提供することができる。
【００１４】
なお、本発明は、言うまでもなく本実施の形態に示す装置のみに限定されず、その趣旨の包含する範囲で応用変更が可能である。すなわち、光源装置としてのＬＥＤランプ装置１１や、商品見本８ａを表示する商品パネル１５、ＬＥＤランプ装置１１を取り付ける横桟部１７等の形状、構成は、本実施形態に示されるものに限定されず、本発明を実施する自動販売機の態様に応じて適宜に設定されるものである。
【図面の簡単な説明】
【００１５】
【図１】本発明の実施の形態に係わる自動販売機を示す正面図である。
【図２】本発明の実施の形態に係わる自動販売機において前扉を開いた状態を示す斜視図である。
【図３】本発明の実施の形態に係わる自動販売機の電照板の背面を局所的に照射するＬＥＤランプ装置を示す斜視図である。
【図４】本発明の実施の形態に係わる自動販売機の電照板の背面側に設けられるＬＥＤランプ装置等の配置構成を示す側断面図である。
【図５】本発明の実施の形態に係わる自動販売機においてＬＥＤランプ装置を横桟部に取り付ける様子を示す取付斜視図である。
【図６】本発明の実施の形態に係わる自動販売機の電照板の背面に商品見本等を表示する商品パネルを取り付けた状態を示す側断面図である。
【符号の説明】
【００１６】
１  自動販売機
２  本体ケース
３  前扉
７  電照板
８ａ  商品見本（広告部）
１１  ＬＥＤランプ装置（光源装置）
１２  ＬＥＤ発光部（発光部）
１３ｂ  シェード部（シェード）
１７  横桟部（装着部）
２１  商品選択ボタン
３１  蛍光灯（照明手段）
３７  ランプ制御ボックス（制御手段）
【図１】
2009258933.tif 000003
【図２】
2009258933.tif 000004
【図３】
2009258933.tif 000005
【図４】
2009258933.tif 000006
【図５】
2009258933.tif 000007
【図６】
2009258933.tif 000008